(57)【要約】【課題】脚部の延出長さが不均等な場合でも、複数の天板付き什器をコンパクトに、かつ安定して積み重ねて載置することができる天板付き什器、および、什器システムを提供する。【解決手段】天板付き什器は、天板部材１０と、第１脚部１１と、第２脚部１２と、補助脚部材２１と、を備えている。第１脚部１１は、天板部材１０から下方に延出し、下端が第１の設置面上に載置可能とされている。第２脚部１２は、天板部材１０の第１脚部１１から離間した位置から第１脚部１１よりも長く下方に延出する。第２脚部１２は、下端が第１の設置面よりも低い第２の設置面上に載置可能とされている。補助脚部材２１は、第１脚部１１に対して脱着可能とされている。補助脚部材２１は、第１脚部１１に取り付けられた状態での天板部材１０から下端までの長さが、天板部材１０から第２脚部１２の下端までの長さと等しくなるように構成されている。【選択図】図４
2019216835.tif 000002
【特許請求の範囲】
【請求項１】
天板部材と、
前記天板部材から下方に延出し、下端が第１の設置面上に載置可能な第１脚部と、
前記天板部材の前記第１脚部から離間した位置から前記第１脚部よりも長く下方に延出し、下端が前記第１の設置面よりも低い第２の設置面上に載置可能な第２脚部と、
前記第１脚部に対して脱着可能な補助脚部材と、を備え、
前記補助脚部材は、前記第１脚部に取り付けられた状態での前記天板部材から下端までの長さが、前記天板部材から前記第２脚部の下端までの長さと等しくなるように構成されていることを特徴とする天板付き什器。
【請求項２】
前記第１脚部を複数有し、
前記補助脚部材は、各前記第１脚部に脱着可能に取り付けられる複数の補助脚柱と、複数の前記補助脚柱を相互に連結する脚柱連結部と、を有していることを特徴とする請求項１に記載の天板付き什器。
【請求項３】
前記補助脚柱の少なくとも上部は、前記第１脚部の下端を嵌入可能な筒状部材によって構成され、
前記補助脚柱は、前記第１脚部を嵌入した状態で、前記第１脚部に固定部材によって位置固定されていることを特徴とする請求項２に記載の天板付き什器。
【請求項４】
前記補助脚部材の下端部には、床面上を転動可能な転動部材が設けられていることを特徴とする請求項１〜３のいずれか１項に記載の天板付き什器。
【請求項５】
前記第２脚部の下端部にも、床面上を転動可能な転動部材が設けられていることを特徴とする請求項４に記載の天板付き什器。
【請求項６】
請求項１〜５のいずれか１項に記載の天板付き什器と、
前記第１の設置面に設置された第１の椅子と、
前記第２の設置面に設置された第２の椅子と、を備え、
前記天板付き什器は、前記天板部材が前記第２の椅子の上方に配置されるようにして、前記第１の設置面と前記第２の設置面とに載置されることを特徴とする什器システム。
【請求項７】
前記第２の椅子は、着座した使用者の背部を支持する背凭れを有し、
前記背凭れの背面から前記第１の設置面上の前記第１脚部までの距離は、前記第１の設置面の前端部から前記第１の設置面上の前記第１脚部までの距離よりも短く設定されていることを特徴とする請求項６に記載の什器システム。
【請求項８】
前記天板付き什器は、前記第２の椅子に連結部材によって固定されていることを特徴とする請求項６または７に記載の什器システム。
【発明の詳細な説明】
【技術分野】
【０００１】
本発明は、積み重ね載置が可能な天板付き什器、および、それを備えた什器システムに関するものである。
【背景技術】
【０００２】
天板部材の下方に複数の脚部が延設された天板付き什器がある。この種の天板付き什器は、講堂や劇場等で複数並べて使用されることがある。この場合、不使用時に複数の天板付き什器をコンパクトに積み重ねて、収納庫等に収納できることが望まれる。
【０００３】
講堂等で使用される天板付き什器として脚部を付根部側から折り畳めるものが一般に知られているが、脚部を折り畳まずに、一の天板付き什器の天板部材の上面に、他の天板付き什器をそのまま積み重ねられるようにしたものも案出されている（例えば、特許文献１参照）。
【０００４】
特許文献１に記載の天板付き什器は、天板部材の前側と後側にそれぞれ一対の脚部が設けられている。前側と後側の各一対の脚部は、天板部材の幅方向に離間した位置から下方に突出している。そして、後側の脚部の対は、接続金具を介して天板部材に対する固定位置を移動可能とされている。
【０００５】
この天板付き什器は、通常に使用するときには、後側の一対の脚部を天板部材の内側領域に移動させ、不使用時には、後側の一対の脚部を天板部材の外側領域に移動させる。こうして、後側の一対の脚部を天板部材の外側領域に移動させると、下方の天板付き什器の天板部材の上面に、上方の天板付き什器の天板部材をそのまま重ねて載せ置くことが可能になる。このため、複数の天板付き什器をコンパクトにまとめて収納庫等に収納することができる。
【先行技術文献】
【特許文献】
【０００６】
【特許文献１】特開２００３−３０４９３６号公報
【発明の概要】
【発明が解決しようとする課題】
【０００７】
特許文献１に記載の天板付き什器は、天板部材から下方に延出する脚部の長さがすべて等しく形成されているため、一の天板付き什器を床面上に正規姿勢で載置した状態で、他の天板付き什器を任意数だけ積み重ねることができる。
【０００８】
講堂や劇場等で使用される天板付き什器として、段床の高位面と低位面を跨いで設置されるものがある。ここで用いられる天板付き什器は、前後の各脚部の延出長さが異なっている。このような天板付き什器において、特許文献１に記載のような積み重ね可能な構造を適用した場合、最下端となる天板付き什器を平坦な床面上に略水平に設置することができない。このため、複数の天板付き什器を斜めに傾斜させた状態のまま積み重ねざるを得ず、不使用時の天板付き什器の安定した収納や取り扱いが難しくなる。
【０００９】
そこで本発明は、脚部の延出長さが不均等な場合でも、複数の天板付き什器をコンパクトに、かつ安定して積み重ねて載置することができる天板付き什器、および、それを備えた什器システムを提供しようとするものである。
【課題を解決するための手段】
【００１０】
本発明に係る天板付き什器は、上記課題を解決するために、以下の構成を採用した。
即ち、本発明に係る天板付き什器は、天板部材と、前記天板部材から下方に延出し、下端が第１の設置面上に載置可能な第１脚部と、前記天板部材の前記第１脚部から離間した位置から前記第１脚部よりも長く下方に延出し、下端が前記第１の設置面よりも低い第２の設置面上に載置可能な第２脚部と、前記第１脚部に対して脱着可能な補助脚部材と、を備え、前記補助脚部材は、前記第１脚部に取り付けられた状態での前記天板部材から下端までの長さが、前記天板部材から前記第２脚部の下端までの長さと等しくなるように構成されていることを特徴とする。
【００１１】
上記の構成により、天板付き什器を施設内に設置する場合には、第１脚部の下端を高位の第１の設置面上に載置し、第２脚部の下端を低位の第２の設置面上に載置する。また、天板付き什器を施設内で使用しないときには、一の天板付き什器の第１脚部に補助脚部材を取り付ける。第１脚部に補助脚部材が取り付けられると、補助脚部材の下端と第２脚部の下端の高さが等しくなる。この状態で天板付き什器が補助脚部材とともに平坦な床面上に載置されると、天板付き什器は、傾斜することなく安定姿勢に維持される。この後に、起立した一の天板付き什器の天板部材の上面に、他の天板付き什器を積み重ねて載置する。
【００１２】
天板付き什器は、前記第１脚部を複数有する構成とし、前記補助脚部材は、各前記第１脚部に脱着可能に取り付けられる複数の補助脚柱と、複数の前記補助脚柱を相互に連結する脚柱連結部と、を有する構成としても良い。
この場合、補助脚部材の複数の補助脚柱が脚柱連結部によって相互に連結されているため、補助脚部材を複数の第１脚部に容易に脱着することができるうえ、補助脚部材の管理も容易になる。
【００１３】
前記補助脚柱の少なくとも上部は、前記第１脚部の下端を嵌入可能な筒状部材によって構成され、前記補助脚柱は、前記第１脚部を嵌入した状態で、前記第１脚部に固定部材によって位置固定されるようにしても良い。
この場合、第１脚部に補助脚部材を取り付けるに際しては、第１脚部の下端を対応する補助脚柱の上部に嵌入し、その状態で固定部材によって補助脚柱を第１脚部に対して位置固定する。この構成を採用した場合には、第１脚部に対して補助脚部材を容易に取りけることができる。また、第１脚部と補助脚柱の嵌入深さと固定位置を自由に調整できるようにしておけば、第１脚部と第２脚部の延出長さの差の異なる複数の仕様の天板付き什器に対し、共通の補助脚部材を適用することができる。
【００１４】
前記補助脚部材の下端部には、床面上を転動可能な転動部材が設けられるようにしても良い。
この場合、補助脚部材を取り付けた天板付き什器の上部に他の天板付き什器を積み重ねて載置し、その状態で転動部材を使って複数の天板什器を移動させることができる。したがって、この構成を採用した場合には、天板付き什器の収納作業が容易になる。
【００１５】
前記第２脚部の下端部にも、床面上を転動可能な転動部材が設けられるようにしても良い。
この場合、補助脚部材の下端部だけでなく、補助脚部材の取り付けられていない第２脚部の下端にも転動部材が設けられているため、複数の天板付き什器を積み重ねた状態でこれらを安定して移動させることができる。
【００１６】
また、本発明に係る什器システムは、上記のいずれかの天板付き什器と、前記第１の設置面に設置された第１の椅子と、前記第２の設置面に設置された第２の椅子と、を備え、前記天板付き什器は、前記天板部材が前記第２の椅子の上方に配置されるようにして、前記第１の設置面と前記第２の設置面とに載置されることを特徴とする。
この什器システムの場合、天板付き什器は、天板部材が前方の第２の椅子の上方に配置されるようにして、第１脚部と第２脚部が高さの異なる第１の設置面と第２の設置面とに載置される。これにより、後側の第１の椅子に着座した使用者が、天板付き什器の天板部材を物品置き場やテーブル等として使用することが可能になる。
【００１７】
前記第２の椅子は、着座した使用者の背部を支持する背凭れを有し、前記背凭れの背面から前記第１の設置面上の前記第１脚部までの距離は、前記第１の設置面の前端部から前記第１の設置面上の前記第１脚部までの距離よりも短く設定されるようにしても良い。
この場合、天板付き什器の第１脚部が高位の第１の設置面の前端部近くまでずれ動くと、第１脚部が前方の第２の椅子の背凭れの背面に当接する。これにより、第１脚部が第１の設置面の前端部から前方にずれ落ちるのを規制される。
【００１８】
前記天板付き什器は、前記第２の椅子に連結部材によって固定されるようにしても良い。
この場合、連結部材によって天板付き什器の移動が規制されるため、第１脚部が第１の設置面の前端部から前方にずれ落ちるのを規制される。
【発明の効果】
【００１９】
本発明によれば、延出長さの短い第１脚部に補助脚部材を取り付けることで、天板付き什器を平坦な床面上に安定姿勢で載置できるため、脚部の延出長さが不均等な場合でも、複数の天板付き什器をコンパクトに、かつ安定して積み重ねて載置することができる。
【図面の簡単な説明】
【００２０】
【図１】本発明の一実施形態の天板付き什器と連結椅子の側面図である。
【図２】本発明の一実施形態の天板付き什器と連結椅子の正面図である。
【図３】本発明の一実施形態の天板付き什器と連結椅子の平面図である。
【図４】本発明の一実施形態の天板付き什器を積み重ねたときの斜視図である。
【図５】本発明の一実施形態の天板付き什器を積み重ねたときの背面図である。
【図６】本発明の一実施形態の天板付き什器を積み重ねたときの側面図である。
【発明を実施するための形態】
【００２１】
以下、本発明の一実施形態を図面に基づいて説明する。
図１は、講堂等の施設内に設置された天板付き什器１と連結椅子３０の側面を示す図である。図２は、天板付き什器１と連結椅子３０の正面図であり、図３は、天板付き什器１と連結椅子３０の平面図である。なお、図１〜図３において、連結椅子３０は仮想線で示されている。以下の説明において、前後、左右、上下等の各呼称は、特別に断らない限り、使用者が正規姿勢で連結椅子３０に着座したときにおける使用者を中心とした向きと合致する向きを意味する。
【００２２】
連結椅子３０の設置される施設内の床は、前方に向かって階段状に次第に低位になる段床２によって構成されている。連結椅子３０は、段床２の高さの異なる各床面上に設置されている。また、天板付き什器１は、段床２の高位の床面と、その前方の低位の床面とに跨って載置されている。本実施形態では、高位の床面が第１の設置面２ａを構成し、低位の床面が第２の設置面２ｂを構成している。
【００２３】
連結椅子３０は、複数（例えば、４つ）の椅子が横並びに一体に連結されて構成されている。連結椅子３０は、左右方向に所定の間隔をおいて床面上に固定設置された複数（例えば、５つ）の支持脚３と、隣接する支持脚３に架設されて着座した使用者の臀部を支持する複数（例えば、４つ）の座４と、隣接した支持脚３に支持されて着座した使用者の背部を支持する複数（例えば、４つ）の背凭れ５と、を備えている。連結椅子３０は、隣接する支持脚３の間に、各単体椅子の座４と背凭れ５とが配置されている。座４は、隣接する支持脚３に架設された支持軸６に跳ね上げ回動可能に支持されている。座４は、使用時には前方に略水平に倒され、不使用時には図示しないリターンスプリングの力によって後方側に跳ね上げられる。
【００２４】
天板付き什器１は、一方向に長尺な長方形状の天板部材１０と、天板部材１０の後端部（一側部）の近傍から下方に延出する左右一対の第１脚部１１と、天板部材１０の前端部（一側部から離間した位置）から下方に延出する左右一対の第２脚部１２と、を有している。
【００２５】
第１脚部１１は、天板部材１０の後端側の左右の角部の近傍から下方に延出している。各第１脚部１１の下端部には、滑り止め部材１３が設けられている。左右の第１脚部１１の下端は、滑り止め部材１３を介して段床２の高位の床面（第１の設置面２ａ）上に載置される。
【００２６】
第２脚部１２は、天板部材１０の前端側の左右の角部の近傍から下方に延出している。第２脚部１２は、第１脚部１１よりも所定長さ長く下方に延出している。第２脚部１２の下端部には、転動部材であるキャスター１４が設けられている。キャスター１４は、転動部の回転をロックするストッパー１５を有している。左右の第２脚部１２の下端は、キャスター１４を介して段床２の低位の床面（第２の設置面２ｂ）上に載置される。
【００２７】
左右の第１脚部１１は、パイプ材等を折曲、溶接等してなり、後方から視認した状態において下向き略コ字状をなす後脚部材１６によって構成されている。後脚部材１６は、左右の第１脚部１１と、これらの第１脚部１１を上部側で相互に連結する連結部１７と、を有している。連結部１７は、天板部材１０の後端側の辺に沿って配置され、天板部材１０の下面に結合されている。連結部１７の左右の端部は、天板部材１０の幅方向の端部よりも外側に所定量突出している。連結部１７の左右の端部に接続された第１脚部１１は、天板部材１０の幅方向の端部よりも外側位置において下方に延出している。
【００２８】
また、左右の各第２脚部１２は、パイプ材等を折曲、溶接等してなり、側方から視認した状態において略Ｌ字状をなす前脚部材１８によって構成されている。前脚部材１８は、第２脚部１２と、第２脚部１２の上端部から後方側に略直角に曲がって延びる後方延出部１９と、を有している。後方延出部１９は、天板部材１０の左右の側端部の辺に沿って配置され、天板部材１０の下面に結合されている。各後方延出部１９の後端部は、後脚部材１６の連結部１７に溶接等に連結されている。左右の第２脚部１２は、天板部材１０の幅方向の端部よりも内側位置において下方に延出している。また、左右の第２脚部１２の下方領域同士は連結パイプ２０によって相互に連結されている。
【００２９】
なお、図２，図３においては、端部に配置される天板付き什器１Ａは、他の天板付き什器１に比較して天板部材１０の幅が狭くなっている。この端部の天板付き什器１Ａは、天板部材１０の幅が狭いだけで、基本構造は他の天板付き什器１と同様とされている。ただし、施設内のレイアウトによっては、天板部材１０の幅の広い天板付き什器１のみを用いることも可能である。
【００３０】
また、天板付き什器１，１Ａを施設内で使用する場合には、例えば、図１に示すように、段床２に設置された一列の連結椅子３０の上方を天板部材１０が跨ぐように設置することができる。この場合、天板付き什器１，１Ａの後方の連結椅子３０に着座した利用者が、天板付き什器１，１Ａの天板部材１０の上面を物品置き場や執務テーブル等として使用することができる。
【００３１】
本実施形態においては、段床２の高位の第１の設置面２ａに設置される後側の連結椅子３０が第１の椅子を構成し、段床２の低位の第２の設置面２ｂに設置される前側の連結椅子３０が第２の椅子を構成している。また、第１の設置面２ａと第２の設置面２ｂに設置される各連結椅子３０と、天板部材１０が前側の連結椅子３０の上方に配置される天板付き什器１，１Ａとは、本実施形態における什器システムを構成している。
【００３２】
天板付き什器１，１Ａを、図１に示すように施設内に設置する場合、天板付き什器１，１Ａの第１脚部１１の下端が高位の第１の設置面２ａ上に載置され、第２脚部１２の下端（キャスター１４）が低位の第２の設置面２ｂ上に載置される。このとき、天板付き什器１，１Ａの第１脚部１１の前部側には、前方の連結椅子３０の背凭れ５の背面が近接して対向する。連結椅子３０の背凭れ５の背面は、第１の設置面２ａ上に載置された第１脚部１１の過大な前方変位を規制するように機能する。具体的には、図１に示すように、連結椅子３０の背凭れ５の背面から第１の設置面２ａ上の第１脚部１１までの距離Ｌ１は、第１の設置面２ａの前端部から第１の設置面２ａ上の第１脚部１１までの距離Ｌ２よりも短く設定されている。これにより、第１脚部１１が高位の第１の設置面２ａから前方にずれ落ちそうになると、第１脚部１１が前方の連結椅子３０の背凭れ５の背面に先に当接し、それによって第１脚部１１の過大な前方変位が規制される。
【００３３】
また、第１の設置面２ａと第２の設置面２ｂとに跨って配置される天板付き什器１，１Ａは、図１に示すように、第２の設置面２ｂに固定設置された前方の連結椅子１０に対し、連結部材であるバンド３５等によって固定するようにしても良い。この場合、バンド３４によって天板付き什器１の移動が規制されるため、第１脚部１１が第１の設置面２ａの前端部から前方にずれ落ちるのを規制することができる。
【００３４】
図４は、複数の天板付き什器１を平坦な床面上に積み重ねて載置した状態を示す斜視図である。図５，図６は、積み重ねられた天板付き什器１の背面図と側面図である。なお、図５，図６では、以下で説明する補助脚部材２１以外の部分が仮想線で示されている。
少なくとも一つの天板付き什器１は補助脚部材２１を備えている。補助脚部材２１は、左右の各第１脚部１１の下部領域が嵌入される左右一対の補助脚柱２２と、左右の補助脚柱２２を相互に連結する上下一対の連結パイプ２３（脚柱連結部）と、を備えている。補助脚柱２２の主要部は、筒状部材（パイプ材）によって構成されている。
【００３５】
各補助脚柱２２の上下に離間した二位置には、操作用頭部２４ａを有する固定ねじ２４（固定部材）が取り付けられている。固定ねじ２４の図示しない軸部は、補助脚柱２２の周壁を貫通し、補助脚柱２２に嵌入された対応する第１脚部１１の外周壁の所定位置と係脱可能に固定される。第１脚部１１の周壁には、固定ねじ２４の軸部が螺合されるナットを設けるようにしても良い。また、第１脚部１１の外周壁には、固定ねじ２４の軸部の先端部が当接する窪み部を設けるようにしても良い。窪み部を設けた場合には、固定ねじ２４の軸部の先端面が窪み部内に圧接されることにより、補助脚柱２２が第１脚部１１に対して位置固定される。
また、左右の各補助脚柱２２の下端部には、転動部材であるキャスター２５が設けられている。
【００３６】
固定ねじ２４による第１脚部１１に対する補助脚柱２２の固定位置は以下のように設定されている。
即ち、固定ねじ２４による補助脚柱２２の固定位置は、補助脚部材２１が左右の第１脚部１１に取り付けられた状態で、天板部材１０から各補助脚柱２２の下端のキャスター接地部までの長さが、天板部材１０から第２脚部１２の下端のキャスター接地部までの長さと等しくなるように設定されている。このため、補助脚部材２１が左右の第１脚部１１に取り付けられた状態で、天板付き什器１が平坦な床面上に載置されると、天板付き什器１の底部の高さが前後で同じになる。この結果、天板付き什器１は、天板部材１０の上面が略水平になった状態で、床面上に安定して支持される。
【００３７】
天板付き什器１を使用しないときには、上記のように一の天板付き什器１に補助脚部材２１を取り付け、天板付き什器１の前後の下端の高さを揃えた状態で、平坦な床面上に載置する。この状態で他の天板付き什器１を一の天板付き什器１の天板部材１０の上に載置する。このとき、第１脚部１１の位置が、下方の天板付き什器１の第１脚部１１の前方側にずれるようにして、下方の天板付き什器１の天板部材１０上に上方側の天板付き什器１の天板部材１０を載せ置く。この後同様にして、さらに他の天板付き什器１を天板付き什器１の上に載せ置く。
【００３８】
こうして積み重ねられた複数の天板付き什器１は、下端の天板付き什器１の前後のキャスター１４，２５によって床面上に支持される。このため、複数の天板付き什器１は、積み重ねられた状態のまま床面上を移動させることができる。
【００３９】
以上のように、本実施形態の天板付き什器１は、延出長さの短い第１脚部１１に対して脱着自在な補助脚部材２１を備えている。そして、補助脚部材２１は、第１脚部１１に取り付けられた状態での天板部材１０から下端までの長さが、天板部材１０から第２脚部１２の下端までの長さと等しくなるように構成されている。このため、本実施形態の天板付き什器１は、延出長さの短い第１脚部１１に補助脚部材２１を取り付けることで、天板付き什器１を平坦な床面上に安定姿勢で載置することができる。したがって、脚部の延出長さが不均等な場合でも、複数の天板付き什器１をコンパクトに、かつ安定して積み重ねて載置することができる。よって、本実施形態の天板付き什器１を採用した場合には、天板付き什器１を収納庫等に安定して収納することが可能になるとともに、不使用時における天板付き什器１の取り扱いも容易になる。
【００４０】
また、本実施形態の天板付き什器１は、補助脚部材２１の一対の補助脚柱２２が脚柱連結部である上下の連結パイプ２３によって相互に連結されている。補助脚部材２１は、左右の第１脚部１１毎に個別の設けることも可能であるが、本実施形態のように一対の補助脚柱２２を持つ一体部品として補助脚部材２１を構成した場合には、各補助脚柱２２を左右の第１脚部１１に容易に脱着することができ、しかも、補助脚部材２１の管理も容易になる。
【００４１】
さらに、本実施形態の天板付き什器１は、補助脚部材２１の補助脚柱２２の主要部が筒状部材によって構成され、補助脚柱２２の上部に第１脚部１１の下端を嵌入した状態で、補助脚柱２２が第１脚部１１に固定ねじ２４によって位置固定される。このため、第１脚部１１に対して補助脚部材２１の対応する補助脚柱２２を容易に取り付けることができる。
なお、第１脚部１１と補助脚柱２２の固定位置を、何段階かに、若しくは、無段階に調整できるようにしておけば、第１脚部１１と第２脚部１２の延出長さの差の異なる複数の仕様の天板付き什器１に対し、共通の補助脚部材２１を適用することができる。
【００４２】
また、本実施形態の天板付き什器１は、補助脚部材２１の各補助脚柱２２の下端に、転動部材であるキャスター２５が設けられている。このため、補助脚部材２１を取り付けた天板付き什器１に、他の天板付き什器１を重ねて載置し、その状態で複数の天板付き什器１を所望の位置に移動させるときに、キャスター２５によってその移動を容易にすることができる。
【００４３】
さらに、本実施形態の天板付き什器１は、補助脚部材２１の下端だけでなく、第２脚部１２の下端部にもキャスター１４が設けられているため、積み重ねた複数の天板付き什器１を、安定姿勢のまま前後のキャスター１４，２５を用いて容易に移動させることができる。
【００４４】
また、段床２に設置される本実施形態の什器システムは、補助脚部材２１を脱着可能な天板付き什器１と、高位の第１の設置面２ａに設置される後側の連結椅子３０（第１の椅子）と、低位の第２の設置面２ｂに設置される前側の連結椅子３０（第２の椅子）と、を備えている。そして、天板付き什器１は、天板部材１０が前側の連結椅子３０の上方に配置されるようにして、段床２の第１の設置面２ａと第２の設置面２ｂとに載置されている。このため、後側の連結位置３０に着座する使用者は、天板付き什器１の天板部材１０を物品置き場やテーブル等として使用することができる。
【００４５】
そして、本実施形態の什器システムでは、天板付き什器１を使用しないときには、天板付き什器１を一か所に集め、一の天板付き什器１の第１脚部１１に補助脚部材２１を取り付け、上述のように一の天板付き什器１の天板部材１０に他の天板付き什器１を積み重ねることができる。こうして積み重ねた複数の天板付き什器１は、上述のようにキャスター１４，２５を利用して必要位置に移動させることができる。
【００４６】
なお、本発明は上記の実施形態に限定されるものではなく、その要旨を逸脱しない範囲で種々の設計変更が可能である。
【符号の説明】
【００４７】
１  天板付き什器
２ａ  第１の設置面
２ｂ  第２の設置面
１０  天板部材
１１  第１脚部
１２  第２脚部
１４  キャスター（転動部材）
２１  補助脚部材
２２  補助脚柱
２３  連結パイプ（脚柱連結部）
２４  固定ねじ（固定部材）
２５  キャスター（転動部材）
３５  バンド（連結部材）
【図１】
2019216835.tif 000003
【図２】
2019216835.tif 000004
【図３】
2019216835.tif 000005
【図４】
2019216835.tif 000006
【図５】
2019216835.tif 000007
【図６】
2019216835.tif 000008